(57)【要約】【課題】  加齢や、意志力の低下が原因で足の指先に重心を移す動作ができなくなった人、懸念される人が歩行に供した場合、その歩行の動作に伴って、「踵の踏込みによる反動で足の指先に重心を移す動作の繰り返し運動」を享受できる履物を提供する。【解決手段】  中底の上面における足のシャンク部分が載る個所に盛上り部を有し、この盛上り部は、足から受ける外力に反発する反発力及びソフトな弾力性を備えた反発体を内蔵することにより構成され、中底の上面における足中骨に対応する個所にはその内側にパッドを内蔵することにより構成された丘陵状部を有し、中底の上面にはシャンクから踵にかけて徐々に後方下がりの状態を呈する傾斜面部を設けたことを特徴とするとするものである。【選択図】図１
0003131350.tif 000002
【実用新案登録請求の範囲】
【請求項１】
中底の上面における足のシャンク部分が載る個所に盛上り部を有し、この盛上り部は、足から受ける外力に反発する反発力及びソフトな弾力性を備えた反発体を内蔵することにより構成されていることを特徴とする履物。
【請求項２】
中底の上面における足の踵部分が載る個所に盛上り部を有し、この盛上り部は、足から受ける外力に反発する反発力及びソフトな弾力性を備えた反発体を内蔵することにより構成されていることを特徴とする履物。
【請求項３】
中底の上面における足中骨に対応する個所に丘陵状部を有し、この丘陵状部は、その内側にパッドを内蔵することにより構成されていることを特徴とする請求項１又は２記載の履物。
【請求項４】
シャンクから踵にかけて徐々に後方下がりの状態を呈する傾斜面部を中底の上面に設けたことを特徴とする請求項１〜３いずれか一つの請求項記載の履物。
【考案の詳細な説明】
【技術分野】
【０００１】  本考案は、スリッパ、サンダル、靴、草履等の履物に関する。
【背景技術】
【０００２】  従前、足の機能の維持、増強、回復若しくは弱体化の防止のためには良いという謳い文句で提供されているスリッパ、サンダル等履物は数多くあった。しかしながら、それらの殆んどは、履用者が自分の足の力のみを使って、歩行したり、足踏みしたり、無理なポーズで使用したりして、その目的を達成しようとする類のものばかりであった。【０００３】  因みに、足本来の健康、特に加齢よる体力の低下や、意志力の低下した人の健康には、とりわけ良いといわれている「踵の踏込みによる反動で足の指先に重心を移す動作の繰り返し運動」に適する簡易に使用できる安価な製品は、見出せなかった。おそらくは、発案されていても、実施及び製品化に困難性等が伴うことからか？、製品として生産されていないものと推察できる。【０００４】  そこで、本考案は、製品として、「踵の踏込みによる反動で足の指先に重心を移す動作の繰り返し運動」に適する簡易で安価な履物を提供することを課題とする。
【特許文献１】  なお、本願出願人は、反発体入りの履物に特化して、先行技術を調査したが、関連する先行技術文献を見出すことができなかった。
【考案の開示】
【考案が解決しようとする課題】
【０００５】  本考案は、前記したような実情に鑑み案出されたものであって、加齢による体力の低下や、意志力の低下などが原因で足の指先に重心を移す動作ができなくなった人或いは懸念される人が歩行に供した場合、その歩行の動作に伴って、「踵の踏込みによる反動で足の指先に重心を移す動作の繰り返し運動」を享受できるように工夫した新規の履物を提供することを目的とする。
【課題を解決するための手段】
【０００６】  上記目的を達成するために、請求項１に係る履物は、中底の上面における履用者の足のシャンク部分が載る個所に盛上り部を有し、この盛上り部は、足から受ける外力に反発する反発力及びソフトな弾力性を備えた反発体を内蔵することにより構成されていることを特徴とする。【０００７】  したがって、加齢による体力の低下や、意志力の低下などが原因で足の指先へ重心を移す動作を回復若しくは強化したい人自身が前記請求項１に係る履物を歩行に供している場合において、当該人自身の体重を支えている方の足により前記盛上り部が圧縮されたときには、当該盛上り部は、反発体の反発力により復元すると共にその余勢で足に瞬発力を賦与する援助機能を果すようになる。すると、当該援助機能により、同人の踵側部分は、健常者が踵の踏込みによる反動で足の指先に重心を移す動作と同じような跳ね上げる動作をすることになる。結局、足の指先へ重心を移す動作ができなくなった回復を望む人自身或いは懸念される強化を望む人自身は、体重移動等に行って、足で前記盛上り部を圧縮する歩行動作をすることにより、足の指先に重心を移す動作を繰り返すことができるようになる。【０００８】  請求項２に係る発明は、中底の上面における履用者の足の踵部分が載る個所に盛上り部を有し、この盛上り部は、足から受ける外力に反発する反発力及びソフトな弾力性を備えた反発体を内蔵することにより構成されていることを特徴とする。【０００９】  したがって、この請求項２に係る履物は、前記請求項１に係る履物と同じように、足の指先へ重心を移す動作ができなくなった回復を望む人自身或いは懸念される強化を望む人自身は、足で前記盛上り部を圧縮する歩行動作をすることにより、足の指先に重心を移す動作を繰り返すことができるようになる。【００１０】  請求項３に係る発明は、中底の上面における履用者の足中骨に対応する個所に丘陵状部を有し、この丘陵状部は、その内側にパッドを内蔵することにより構成されていることを特徴とする。【００１１】  したがって、この請求項３に係る履物は、その履用状態時には、履用者の足の裏における足中骨（湧泉）部分が前記丘陵状部に当接することになるから、当該当接により足中骨（湧泉）部分は押圧され且つ足の移動は阻止される。【００１２】  請求項４に係る発明は、シャンクから踵にかけて徐々に後方下がりの状態を呈する傾斜面部を中底の上面に設けたことを特徴とする。【００１３】  したがって、この請求項４に係る履物は、足が盛上り部を圧縮する歩行動作をする際には、踵部分は傾斜面部の上のスペースで撓うことが可能になる。
【考案の効果】
【００１４】  請求項１に係る履物は、中底の上面における履用者の足のシャンク部分が載る個所に盛上り部を有し、この盛上り部は、足から受ける外力に反発する反発力及びソフトな弾力性を備えた反発体を内蔵することにより構成されているので、例えば、足の指先へ重心を移す動作ができなくなった回復を望む人或いは懸念される強化を望む人は、歩行に供することで、その歩行の動作に伴って、「踵の踏込みによる反動で足の指先に重心を移す動作の繰り返し運動」を享受できる。また同時に、シャンク部分が前記盛上り部による圧迫を受けることになるので、その刺激により血液の循環をよくすることができ、身体全体特に頭脳に生気を与え元気にすることができる。しかも、爪先立ちを繰り返すことで足・腰の筋肉、人体に適度の緊張感を与えることができ、運動不足の解消、バランス感覚の養生等ができる。【００１５】  請求項２の履物は、中底の上面における履用者の足の踵部分が載る個所に盛上り部を有し、この盛上り部は、足から受ける外力に反発する反発力及びソフトな弾力性を備えた反発体を内蔵することにより構成されているので、請求項１に係る履物と同様の効果を享受できる。【００１６】  請求項３の履物は、中底の上面における履用者の足中骨に対応する個所に丘陵状部を有し、この丘陵状部は、その内側にパッドを内蔵することにより構成されているので、その履用状態時には履用者の足の足中骨（湧泉）部分が前記丘陵状部に当接することになるから、当該当接により足中骨（湧泉）部分が押圧されて刺激を受け、疲労感は和らげると共に前記当接により爪先立ちや前のめりのような恰好になることを防ぐことができる相乗効果がある。【００１７】  請求項４の履物は、シャンクから踵にかけて徐々に後方下がりの状態を呈する傾斜面部を中底の上面に設けたことを特徴とするので、前記請求項１又は２、３に係る考案の効果に加え、足が盛上り部を圧縮する歩行動作をする際には、踵部分が傾斜面部の上のスペースで撓う状態になって反動を得ることになるから、前記瞬発力をより増強することができるのみならず前記撓う動作によりアキレス腱及び脹脛の筋肉の伸縮運動（ストレッチ）ができる。
【考案を実施するための最良の形態】
【００１８】  （第１実施の形態）
図１〜図３に基づいて本考案の第１の実施の形態を説明する。なお、図１はこの第１実施の形態に係るスリッパを示す一部切截斜視図であり、図２は図１Ａ−Ａ線に沿う個所で切断した中物の断面図であり、図３は中物を示す分解斜視図である。【００１９】  以下に述べる本考案に係る実施の形態は、履物の例として、最もオーソドックスなスリッパをもとに説明するが、本考案の実施は、スリッパだけに限定するものではなく、サンダル、靴、室内履き用靴、草履等であってもよい。【００２０】  前記第１実施の形態に係るスリッパ１は、次のような製造工程で構成される。【００２１】  先ず、歩くときの足の力で撓むパルプボードにより構成された爪先側半分（かえり部分）２ａと、歩くときに殆ど撓まないプレスボードにより構成された踵側半分２ｂとを段差のできない状態で連結することにより下側板部材２を構成する。【００２２】  また、これとは別個に足のシャンク部分の載る個所が緩やかなカーブをなして上の方に膨れ曲がり、この膨れ曲がり部３ａの前辺には前方下がりの状態を呈する前側傾斜面部３ｂが延設され、同じく後辺には徐々に後方下がりの状態を呈する急な後側傾斜面部３ｃが延設された上側板部材３を、前記パルプボードによりも撓み難いパルプボードを以て構成する。【００２３】  然るのち、前記下側板部材２の上に前記上側板部材３を配し、当該上側板部材３における前側傾斜面部３ｂの前辺を前記爪先側半分（かえり部分）２ａの基端辺（付根部分）に重ねてホチキス（図示せず）で固定することにより踵側半分５ａ、５ｂが上下に分かれた中物主体６を構成する。【００２４】  次いで、上記中物主体６の踵側半分５ａ、５ｂの間に足から受ける外力に反発する反発力及びソフトな弾力性を備えた球面体形状の反発体７を、当該反発体７の上部が前記膨れ曲がり部３ａ内に納まった状態にして挟入すると共に当該反発体７の後方に、同反発体７を位置ズレしないように保持するストッパー機能及び足の重みを支える機能を果す強めの弾性を備えた軟質ウレタン製の中物補助体８を挟入し且つ当該中物補助体８の上下面に前記踵側半分５ａ、５ｂの踵対応部分８ａ、８ｂを接着剤（図示せず）により固定することによって中物９を構成する。【００２５】  さらに、前記上側板部材３の上に予め足形にカットされたウレタンフォーム製のソフト材１０に薄手の軟質ウレタン製の裏当て材１１を貼り合わせたクッション部材１２を構成し、このクッション部材１２を前記下側板部材２の爪先側半分（かえり部分）２ａと上側板部材３の膨れ曲がり部３ａ及び前側傾斜面部３ｂ並びに後側傾斜面部３ｃの上面に接着剤（図示せず）により貼着すると共に上記中物９の上面すなわちソフト材１０において履用者の足中骨（湧泉）に対応する個所にパッド１３を固定する。このパッド１３は上面が流線形を呈し下面が平面を呈して足の裏における足中骨（湧泉）にフィットするようにしてあり、素材として軟質ゴム（ウレタン）を使用している。【００２６】  然るのち、上記中物９の上面及び下面を中底１４及び表底１５で覆い且つ上記中底１４の上にアッパー１６を配した状態にして縫製し、よってスリッパ１を完成する。なお、ここでは、中底１４及び表底１５並びにアッパー１６は、総皮��としてあるが、布、合皮、その他素材でもよく、また表底１５の踵部には化粧をつけることは任意である。【００２７】  したがって、前記製造工程によれば、履用者の足のシャンク部分を跳ね上げるために機能する盛上り部１７と、履用者の足の足中骨（湧泉）部分に刺激を与えると共に爪先立ちや前のめりのような恰好になることを防ぐために機能する丘陵状部１８と、シャンクから踵にかけて徐々に後方下がりの状態を呈する急な傾斜面部１９とを中底１４の上面に有するスリッパ１を得ることができる。【００２８】  （第２実施の形態）
図４〜図６に基づいて本考案の第２の実施の形態を説明する。なお、図４はこの第２実施の形態に係るスリッパを示す斜視図であり、図５は図４Ｂ−Ｂ線に沿う個所で切断した中物の断面図であり、図６は中物を示す分解斜視図である。【００２９】  この第２の実施の形態に係るスリッパ２１は、次のような製造工程で構成される。【００３０】  先ず、歩くときの足の力で撓むパルプボードにより構成された爪先側半分（かえり部分）２２ａと、歩くときに殆ど撓まないプレスボードにより構成された踵側半分２２ｂとを段差のできない状態で連結することにより下側板部材２２を構成する。【００３１】  また、これとは別個に足の踵部分の載る個所が緩やかなカーブをなして曲がり、この曲がり部２３ａの前辺には前方下がりの状態を呈する前側傾斜面部２３ｂが延設され、同じく後辺には徐々に後方下がりの状態を呈する急な後側傾斜面部２３ｃが延設された上側板部材２３を、前記パルプボードによりも撓み難いパルプボードを以て構成する。【００３２】  然るのち、前記下側板部材２２の上に前記上側板部材２３を配し、当該上側板部材２３における前側傾斜面部２３ｂの前辺を前記爪先側半分（かえり部分）２２ａの基端辺（付根）に重ねてホチキス（図示せず）で固定することにより踵側半分２５ａ、２５ｂが上下に分かれた中物主体２６を構成する。【００３３】  次いで、上記中物主体２６の踵側半分２５ａ、２５ｂの間に足から受ける外力に反発する反発力及びソフトな弾力性を備えた球面体形状の反発体２７を踵の個所に位置する状態で挟入すると共に当該反発体２７の前側に、同反発体７を位置ズレしないように保持するストッパー機能及び足の重みを支える機能を果す強めの弾性を備えた軟質ウレタン製の中物補助体２８を挟入し且つ当該中物補助体２８の上下面に前記踵側半分２５ａ、２５ｂのシャンク対応部分２８ａ、２８ｂを接着剤（図示せず）により固定することによって中物２９を構成する。【００３４】  さらに、前記上側板部材２３の上に予め足形にカットされたウレタンフォーム製のソフト材３０に薄手の軟質ウレタン製の裏当て材３１を貼り合わせたクッション部材３２を構成し、このクッション部材３２を前記下側板部材２２の爪先側半分（かえり部分）２２ａと上側板部材２３の曲がり部２３ａ及び前側傾斜面部２３ｂ並びに後側傾斜面部２３ｃの上面に接着剤（図示せず）により貼着すると共に上記中物２９の上面すなわちソフト材３０において履用者の足中骨（湧泉）に対応する個所にパッド３３を固定する。このパッド３３は上面が流線形を呈し下面が平面を呈して足の裏における足中骨（湧泉）にフィットするようにしてあり、素材として軟質ゴム（ウレタン）を使用している。【００３５】  然るのち、上記中物２９の上面及び下面を中底３４及び表底３５で覆い且つ上記中底３４の上にアッパー３６を配した状態にして縫製し、よってスリッパ２１を完成する。なお、ここでは、中底３４及び表底３５並びにアッパー３６は、総皮製としてあるが、布、合皮、その他素材でもよく、また表底３５の踵部には化粧をつけることは任意である。【００３６】  したがって、前記のような製造工程によれば、履用者の足の踵部分を跳ね上げるために機能する盛上り部３７と��履用者の足の足中骨（湧泉）部分に刺激を与えると共に爪先立ちや前のめりのような恰好になることを防ぐために機能する丘陵状部３８と踵の後個所が徐々に後方下がりの状態を呈する急な傾斜面部３９を中底３４の上面に有するスリッパ２１を得ることができる。【００３７】  本考案は、前記実施の形態に係るスリッパ１、２１において説明したように、その反発体は、球面体形状としたので、製作性がよく、量産に向いている。【００３８】  また、本考案は、前記実施の形態に係るスリッパ１、２１において説明したように、その爪先側部分は、前記したように、歩くときの足の力で撓むパルプボードにより構成された爪先側半分２ａ、２２ａと、ウレタンフォーム製のソフト材１０に薄手の軟質ウレタン製の裏当て材１１を貼り合わせたクッション部材１２、３２との積層部を芯としているので、所謂「かえりが良い」から履き易いは勿論であるが、盛上り部１７、３７の機能性及び丘陵状部１８、３８の機能性をアップできる。【００３９】  なお、前記実施の態様に係るスリッパでは、反発体として球面体形状のものを採用したが、本考案は、短い円柱体形状、円筒体形状、饅頭形状、その他の形状の反発体を採用して実施することは自由である。【００４０】  また、本考案者は、シャンク部分と踵部分の両方に反発体を埋め込んで実施を試みたところ、この試作品には、歩行の際にふら付いてバランスが崩れ易いこと、所謂２段反発のようになって特に弱っている人には向かないこと、また反発体が２個になってコストアップになること等の問題があることが分かったので、結果として、その製品化はしないことにした。
【図面の簡単な説明】
【００４１】
【図１】本考案の第１実施の形態を示す斜視図である。
【図２】図１Ａ−Ａ線に沿う個所で切断した中物の断面図である。
【図３】中物を示す分解斜視図である。
【図４】本考案の第２実施の形態を示す斜視図である。
【図５】図４Ｂ−Ｂ線に沿う個所で切断した中物の断面図である。
【図６】中物を示す分解斜視図である。
【符号の説明】
【００４２】  １  第１実施の形態に係るスリッパ
２、２２  下側板部材
２ａ、２２ａ  爪先側半分
２ｂ、２２ｂ  踵側半分
３、２３  上側板部材
３ａ、２３ａ  膨れ曲がり部
３ｂ、２３ｂ  前側傾斜面部
３ｃ、２３ｃ  後側傾斜面部
５ａ、５ｂ、２５ａ、２５ｂ  踵側半分
６、２６  中物主体
７、２７  反発体
８、２８  中物補助体
８ａ、８ｂ  踵対応部分
９、２９  中物
１０、３０  ソフト材
１１、３１  裏当て材１１
１２、３２  クッション部材
１３、３３  パッド
１４、３４  中底
１５、３５  表底
１６、３６  アッパー
１７、３７  盛上り部
１８、３８  丘陵状部
１９、３９  傾斜面部
２１  第２の実施の形態に係るスリッパ
２８ａ、２８ｂ  シャンク対応部分
【図１】
0003131350.tif 000003
【図２】
0003131350.tif 000004
【図３】
0003131350.tif 000005
【図４】
0003131350.tif 000006
【図５】
0003131350.tif 000007
【図６】
0003131350.tif 000008